(57)【要約】【課題】音声出力の切り替え前の外部機器の電源状態に応じて、外部機器のオン／オフの制御ができる映像出力装置及び映像出力装置に接続された外部機器の電源制御方法を提供する。【解決手段】テレビジョン受像機２は、表示器１３と、スピーカ３ａを接続可能なAVアンプ３と通信するためのレシーバ１６、スピーカ１４と、制御部１１を有する。制御部１１は、スピーカ１４からスピーカ３ａへの第１の音声出力切替指示を受けたときにおけるAVアンプ３の電源のオン又はオフの状態を示す電源状態情報を、メモリ１２記憶する。制御部１１は、スピーカ３ａからスピーカ１４への第２の音声出力切替指示を受けたとき、メモリ１２に記憶された電源状態情報に基づいて、電源状態情報がAVアンプ３の電源のオフ状態を示すときはAVアンプ３の電源をオフにする電源制御信号を、レシーバ１６を介してAVアンプ３へ送信する。【選択図】図２
2015177458.tif 000002
【特許請求の範囲】
【請求項１】
表示装置と、
第１のスピーカを接続可能な外部機器と通信するためのインターフェースと、
第２のスピーカと、
前記第２のスピーカから前記第１のスピーカへの第１の音声出力切替指示を受けたときにおける前記外部機器の電源のオン又はオフの状態を示す電源状態情報を、記憶部に記憶する電源状態記憶処理部と、
前記第１のスピーカから前記第２のスピーカへの第２の音声出力切替指示を受けたとき、前記記憶部に記憶された前記電源状態情報に基づいて、前記電源状態情報が前記外部機器の前記電源のオフ状態を示すときは前記外部機器の前記電源をオフにする電源制御信号を、前記インターフェースを介して前記外部機器へ送信する電源制御信号送信部と、
を有する映像出力装置。
【請求項２】
前記電源状態記憶部は、前記第１の音声出力切替指示を受けたときに、前記インターフェースを介して、前記外部機器の前記電源のオン又はオフの状態を問い合わせる問い合わせ信号を送信して、前記外部機器から前記電源状態情報を取得して、前記記憶部に記憶する、請求項１に記載の映像出力装置。
【請求項３】
前記外部機器の前記電源状態情報は、前記インターフェースを介して、前記外部機器に定期的に問い合わせて取得される情報である、請求項１に記載の映像出力装置。
【請求項４】
前記第２の音声出力切替指示を受けて、前記記憶部に記憶された前記電源状態情報に基づいて、前記電源状態情報が前記外部機器の前記電源のオン状態を示すときは、前記外部機器の前記電源をオフにしないことの確認をするための確認画面を前記表示装置に表示する確認画面表示部を有し、
前記電源制御信号送信部は、前記確認画面の表示に対して、前記外部機器の前記電源をオフにすることが指示されたときは、前記外部機器の前記電源をオフにする前記電源制御信号を前記外部機器へ送信する請求項１から３のいずれか１つに記載の映像出力装置。
【請求項５】
前記映像出力装置は、テレビジョン受像機であり、
前記外部機器の前記電源をオフにする前記電源制御信号は、前記外部機器の前記電源をスタンバイにする信号である請求項１から４のいずれか１つに記載の映像出力装置。
【請求項６】
前記外部機器は、オーディオ・ビジュアル・アンプである請求項１から５のいずれか１つに記載の映像出力装置。
【請求項７】
映像出力装置に接続され、第１のスピーカを接続可能な外部機器の電源制御方法であって、
第２のスピーカから前記第１のスピーカへの第１の音声出力切替指示を受けたときにおける前記外部機器の電源のオン又はオフ状態を示す電源状態情報を、記憶部に記憶し、
前記第１のスピーカから前記第２のスピーカへの第２の音声出力切替指示を受けたとき、前記記憶部に記憶された前記電源状態情報に基づいて、前記電源状態情報が前記外部機器の前記電源のオフ状態を示すときは前記外部機器の前記電源をオフにする電源制御信号を、インターフェースを介して前記外部機器へ送信する、
映像出力装置に接続された外部機器の電源制御方法。
【請求項８】
前記第１の音声出力切替指示を受けたときに、前記インターフェースを介して、前記外部機器の前記電源のオン又はオフの状態を問い合わせる問い合わせ信号を送信して、前記外部機器から前記電源状態情報を取得して、前記記憶部に記憶する、請求項７に記載の映像出力装置に接続された外部機器の電源制御方法。
【請求項９】
前記外部機器の電源状態情報は、前記インターフェースを介して、前記外部機器に定期的に問い合わせて取得された情報である、請求項７に記載の映像出力装置に接続された外部機器の電源制御方法。
【請求項１０】
前記第２の音声出力切替指示を受けて、前記記憶部に記憶された前記電源状態情報に基づいて、前記電源状態情報が前記外部機器の前記電源のオン状態を示すときは、前記外部機器の前記電源をオフにしないことの確認をするための確認画面を前記表示装置に表示し、
前記確認画面の表示に対して、前記外部機器の前記電源をオフにすることが指示されたときは、前記外部機器の前記電源をオフにする前記電源制御信号を前記外部機器へ送信する請求項７から８のいずれか１つに記載の映像出力装置に接続された外部機器の電源制御方法。
【請求項１１】
前記映像出力装置は、テレビジョン受像機であり、
前記外部機器の前記電源をオフにする前記電源制御信号は、前記外部機器の前記電源をスタンバイにする信号である請求項７から９のいずれか１つに記載の映像出力装置に接続された外部機器の電源制御方法。
【請求項１２】
前記外部機器は、オーディオ・ビジュアル・アンプである請求項７から１０のいずれか１つに記載の映像出力装置に接続された外部機器の電源制御方法。
【発明の詳細な説明】
【技術分野】
【０００１】
本発明の実施形態は、映像出力装置及び映像出力装置に接続された外部機器の電源制御方法に関する。
【背景技術】
【０００２】
近年、映像出力装置であるテレビジョン受像機（以下、テレビという）と、レコーダ、オーディオ・ビジュアル・アンプ（以下、AVアンプという）などの機器とを接続するデジタルインターフェースが、広く普及している。
【０００３】
デジタルインターフェースの一つとして、HDMI（High-Definition Multimedia Interface（高精細度マルチメディアインターフェース））がある。HDMIは、テレビ、AVアンプ、ブルーレイ・ディスク・プレーヤ（以下、BDプレーヤという）等のオーディオ・ビジュアル機器（以下、AV機器という）同士をHDMIケーブルで接続して、AV機器同士の連携動作を可能とする。
【０００４】
例えば、ユーザは、ニュースなどを視聴するときはテレビのスピーカ、すなわちテレビに内蔵されたスピーカ、で聴くが、映画や音楽ビデオを鑑賞するときは、音声についてはAVアンプに接続されたスピーカで聴きたい場合がある。その場合、テレビとAVアンプがHDMIで接続されていれば、ユーザは、映画等の鑑賞時には、テレビのリモコンを用いて、テレビのスピーカから、AVアンプに接続されたスピーカへ音声出力を切り替えることができる。そして、映画等の鑑賞後、ユーザは、テレビのリモコンを用いて、AVアンプに接続されたスピーカから、テレビのスピーカへ音声出力を切り替えることができる。
【０００５】
従来のHDMIを利用したシステムの場合、AVアンプに接続されたスピーカからテレビのスピーカに切り替えても、AVアンプの電源は、一般的には、オフすなわちスタンバイ状態にされることはない。
【０００６】
AVアンプに接続されたスピーカからテレビのスピーカへの音声出力の切り替えがあったとき、AVアンプをその後使用しないときは、省エネの観点から、AVアンプの電源はオフされておくことが望ましい。
【０００７】
HDMI規格には、親機であるテレビがスタンバイ状態にされると、接続された機器もスタンバイ状態にするシステムスタンバイ機能がある。そこで、その機能を利用して、ユーザがテレビをスタンバイ状態にすれば、AVアンプの電源をオフすなわちスタンバイにすることができる。
【０００８】
しかし、上記のように、映画等の鑑賞後にAVアンプに接続されたスピーカからテレビのスピーカへ音声出力を切り替えた後、ユーザは、テレビをオフにしないで、テレビを観み、かつAVアンプも使用したい場合もある。
【０００９】
すなわち、上記のような画等の鑑賞のときだけAVアンプを使用し、映画等の鑑賞後が終了したら、AVアンプを使用しないので電源をオフしたい場合もあれば、映画等の鑑賞前にAVアンプを使用してAVアンプに接続されたスピーカで音楽などを聴いていて、映画鑑賞後も、映画鑑賞前に聴いていた音楽などを続けて聴きたい場合もある。
【００１０】
AVアンプなどのリピータ機器をHDMIケーブルで接続してテレビで視聴しているとき、リピータ機器に接続された表示装置に入力される映像と音声信号の入力経路に基づいて、リピータ機器の電源のオン／オフを制御するAVシステムの提案がある。
【００１１】
しかし、その提案の技術によれば、テレビのスピーカからAVアンプに接続されたスピーカへの音声出力の切り替え前の状況に拘わらず、映像と音声信号の入力経路に基づいて、リピータ機器の電源がオン／オフされてしまう。  
よって、従来は、デジタルインターフェースを利用した機器では、ユーザによるテレビのスピーカからAVアンプに接続されたスピーカへの音声出力の切り替え前の接続機器の使用状況に応じて、接続機器の電源のオン／オフ制御をすることができなかった。
【先行技術文献】
【特許文献】
【００１２】
【特許文献１】特開２００９−１００３２９号公報
【発明の概要】
【発明が解決しようとする課題】
【００１３】
そこで、本実施形態は、音声出力の切り替え前の外部機器の電源状態に応じて、外部機器のオン／オフの制御ができる映像出力装置及び映像出力装置に接続された外部機器の電源制御方法を提供することを目的とする。
（発明の全般的な課題を書く）
【課題を解決するための手段】
【００１４】
実施形態の映像出力装置は、表示装置と、第１のスピーカを接続可能な外部機器と通信するためのインターフェースと、第２のスピーカと、電源状態記憶処理部と、電源制御信号送信部と、を有する。電源状態記憶処理部は、前記第２のスピーカから前記第１のスピーカへの第１の音声出力切替指示を受けたときにおける前記外部機器の電源のオン又はオフの状態を示す電源状態情報を、記憶部に記憶する。電源制御信号送信部は、前記第１のスピーカから前記第２のスピーカへの第２の音声出力切替指示を受けたとき、前記記憶部に記憶された前記電源状態情報に基づいて、前記電源状態情報が前記外部機器の前記電源のオフ状態を示すときは前記外部機器の前記電源をオフにする電源制御信号を、前記インターフェースを介して前記外部機器へ送信する。
【図面の簡単な説明】
【００１５】
【図１】実施形態に関わるオーディオ・ビジュアル・システムの構成を示す概略構成図である。
【図２】実施形態に関わる、テレビ２のスピーカ１４からAVアンプ３のスピーカ３ａへの音声出力の切り替えがあったときのテレビ２の制御部１１の処理の流れの例を示すフローチャートである。
【図３】実施形態に関わる、テレビ２とAVアンプ３との間のコマンドの送受信を説明するための図である。
【図４】実施形態の変形例２に関わる、テレビ２のスピーカ１４からAVアンプ３のスピーカ３ａへの音声出力の切り替えがあったときのテレビ２の制御部１１の処理の流れの例を示すフローチャートである。
【発明を実施するための形態】
【００１６】
以下、図面を参照して実施形態を説明する。
（構成）
図１は、本実施形態に係わるオーディオ・ビジュアル・システムの構成を示す概略構成図である。オーディオ・ビジュアル・システム（以下、AVシステムという）１は、テレビ２と、AVアンプ３と、ブルーレイ・ディスク・プレーヤ（以下、BDプレーヤという）４とを含む。テレビ１とAVアンプ３間の接続、及びAVアンプ３とBDプレーヤ４間の接続は、それぞれHDMIケーブル５及び６により行われている。
【００１７】
テレビ２は、制御部１１と、メモリ１２と、映像を表示するための表示器１３と、音声出力のためのスピーカ１４と、テレビ２用のリモコン２ａからの操作信号を受信する操作信号受信部１５とを含んで構成されている、表示装置を有する映像出力装置である。なお、ここでは、テレビ２の基本的な機能である、放送信号を受信するためのチューナ、放送信号に含まれる映像信号をデコードするデコーダなどの各種回路は、省略し、図示されていない。テレビ２は、表示器１３に映像を表示し、スピーカ１４から音声を出力する。
【００１８】
制御部１１は、中央処理装置（CPU）を含み、ROM等を含むメモリ１２と接続されている。制御部１１は、メモリ１２に記録されたプログラムを読み出して実行し、ユーザにより指定された機能を実現するための処理を実行する。制御部１１は、テレビ１１の基本的な機能を実現するためのプログラムの実行と、各種回路の動作制御を行うと共に、後述するスピーカの切り替え時の制御も実行する。よって、メモリ１２は、各種プログラムを記憶し、後述するスピーカの切り替え時の制御プログラムも記憶されている。
【００１９】
ユーザは、リモコン２ａを操作して、テレビ２の有する機能の中から所望の機能を選択し、その機能の実行を、テレビ２へ指示することができる。そのため、テレビ２には、リモコン２ａからの赤外線などの操作信号を受信するための操作信号受信部１５が設けられている。操作信号受信部１５は、制御部１１と接続されており、受信した操作信号を制御部１１へ出力する。
【００２０】
ユーザは、リモコン２ａを操作して、テレビ２に所望の操作信号を送り、テレビ２の視聴チャンネルの切り替え、各種機能選択のためのメニュー画面の表示、表示されたメニュー画面の中の機能選択等をすることができる。
【００２１】
ユーザがBDプレーヤ４を用いて映画等のコンテンツの記録されたディスクを再生すると、テレビ２がAVアンプ３を経由して映像及び音声信号を受信して、ユーザは、テレビ２でそのコンテンツを視聴することができる。
【００２２】
また、BDプレーヤ４でコンテンツの記録されたディスクを再生するときに、音声だけは、AVアンプ３に接続されたスピーカ３ａから出力させることもできる。すなわち、AVアンプ３は、映像出力装置であるテレビ２に接続され、スピーカ３ａを接続可能な外部機器である。
【００２３】
AVアンプ３は、中央処理装置（CPU）、ROM、RAM等を含む制御部２１を有しており、制御部２１は、AVアンプ３の各種回路を制御する。AVアンプ３には、２本のスピーカ３ａが接続されており、再生された音を出力する。AVアンプ３は、図示しない音声処理回路を有し、音声処理回路が、BDプレーヤ４で再生された音声信号だけでなく、図示しないCDプレーヤ等の外部からの音声信号を再生処理し、スピーカ３ａに音声信号を出力する。
【００２４】
BDプレーヤ４は、図示しない、ブルーレイ・ディスクを再生するためのディスク駆動部と、ブルーレイ・ディスクの情報を読み取る情報読み取り部を有する。読み取られた情報は、図示しないHDMI端子からHDMIケーブル６を介してAVアンプ３へ出力される。
【００２５】
上述したように、テレビ２とAVアンプ３はHDMIケーブル５で接続され、AVアンプ３とBDプレーヤ４はHDMIケーブル６で接続されており、AVアンプ３とBDプレーヤ４は、テレビ２との連携動作が可能となっている。そのため、テレビ２には、HDMIケーブル用のレシーバ１６が設けられている。レシーバ１６は、制御部１１と接続されている。
【００２６】
レシーバ１６は、図示しないHDMI端子を介して、HDMIケーブル５から映像及び音声信号を受信する。制御部１１は、レシーバ１６を介してAVアンプ３との間で制御信号を送受信することができる。すなわち、レシーバ１６は、スピーカ３ａを接続可能な外部機器であるAVアンプ３と通信するためのインターフェースである。
【００２７】
AVアンプ３は、HDMIケーブル用のトランスミッタ２２と、HDMIケーブル用のレシーバ２３とを含んでいる。トランスミッタ２２は、HDMIケーブル５と制御部２１と接続されている。レシーバ２３は、HDMIケーブル６と制御部２１と接続されている。
【００２８】
トランスミッタ２２は、図示しないHDMI端子とHDMIケーブル５を介して、映像及び音声信号をテレビ２へ出力すると共に、テレビ２との間で制御信号の送受信を行うことができる。
【００２９】
レシーバ２３は、図示しないHDMI端子とHDMIケーブル６を介して、映像及び音声信号をBDプレーヤ４から受信すると共に、BDプレーヤ４との間で制御信号の送受信を行うことができる。
【００３０】
BDプレーヤ４は、トランスミッタ３１を有する。BDプレーヤ４は、ブルーレイ・ディスクの情報を読み取る情報読み取り部において読み取られた情報を、図示しないHDMI端子を介してトランスミッタ３１からHDMIケーブル６に出力する。
【００３１】
HDMIの場合、映像信号は、一方向送信されるが、音声信号と制御信号は、双方向通信される。よって、制御部１１等が生成したHDMIのコマンド、すなわちCECコマンド、は、トランスミッタとレシーバ間で送受信される。
【００３２】
以上のAVシステム１によれば、ユーザは、テレビ２で放送番組の視聴をすることができると共に、BDプレーヤ４を利用してブルーレイ・ディスクを再生し、テレビ２で視聴することができる。さらに、ユーザは、AVアンプ３を制御して、AVアンプ３に接続されたスピーカ３ａから音声を出力させることもできるので、コンテンツの映像は、テレビ２の表示器１３に表示させ、コンテンツの音声は、AVアンプ３に接続されたスピーカ３ａから出力させることもできる。
【００３３】
例えば、ユーザは、BDプレーヤ４を操作してブルーレイ・ディスクを再生してコンテンツを視聴するとき、あるいは視聴している場合に、リモコン２ａを操作して、テレビ２の表示器１３の画面上にメニュー画面を表示させて、音声出力を、テレビ２のスピーカ１４で行うか、AVアンプ３に接続されたスピーカ３ａで行うかの選択を行うことができる。すなわち、ユーザは、リモコン２ａを操作することにより、音声出力先をテレビ２のスピーカ１４からAVアンプ３に接続されたスピーカ３ａに変更し、かつ音声出力先をAVアンプ３に接続されたスピーカ３ａからテレビ２のスピーカ１４に変更することができる。
（作用）
以下、本実施形態のAVシステム１の動作を、ユーザが映画等のコンテンツの視聴のために、音声出力をテレビ２のスピーカ１４からAVアンプ３に接続されたスピーカ３ａへ切り替え、その視聴後に、音声出力をAVアンプ３に接続されたスピーカ３ａからテレビ２のスピーカ１４へ切り替える場合を例に説明する。
【００３４】
図２は、テレビ２のスピーカ１４からAVアンプ３のスピーカ３ａへの音声出力の切り替えがあったときのテレビ２の制御部１１の処理の流れの例を示すフローチャートである。図３は、テレビ２とAVアンプ３との間のコマンドの送受信を説明するための図である。
【００３５】
ユーザがBDプレーヤ４を操作してブルーレイ・ディスクを再生してコンテンツを視聴しようとするとき、あるいは視聴しているときに、リモコン２ａを操作して、音声出力をAVアンプ３に接続されたスピーカ３ａ（以下、アンプ接続スピーカ３ａともいう）へ切り替えを行ったときに、図２の処理は、実行される。例えば、ユーザがテレビ２のメニュー画面上のスピーカ切り替えボタンの中の「アンプ接続スピーカ」を選択すると、アンプ接続スピーカ３ａへの音声出力の切り替えが指示されたことを、制御部１１は検知する。
【００３６】
まず、制御部１１は、アンプ接続スピーカ３ａへの音声出力の切り替えがあるか否かを判定する（S1）。アンプ接続スピーカ３ａへの音声出力の切り替えの指示がなければ（S1:NO）、処理は、何もしない。
【００３７】
アンプ接続スピーカ３ａへの音声出力の切り替えの指示があると（S1:YES）、制御部１１は、AVアンプ３へ、AVアンプ３の電源状態の問い合わせを行う（S2）。問い合わせは、制御部１１が、コマンド<Give Device Power Status>をAVアンプ３へ送信することにより行われる。
【００３８】
AVアンプ３の制御部２１は、テレビ２からの電源状態の問い合わせを受けると、AVアンプ３の電源状態、すなわちオン状態であるかオフ状態（すなわちスタンバイ状態）でチェックし、チェックした結果を、電源状態情報としてテレビ２へ送信する。AVアンプ３の電源状態情報の送信は、制御部２１が、コマンド<Report Power Status>をテレビ２へ送信することにより行われる。
【００３９】
以上のように、制御部１１によるS3の処理は、スピーカ１４からスピーカ３ａへの第１の音声出力切替指示を受けたときにおけるAVアンプ３の電源のオン又はオフの状態を示す電源状態情報を、記憶部であるメモリ１２に記憶する電源状態記憶処理部を構成する。ここでは、説明を分かり易くするために、スピーカ１４からスピーカ３ａへの音声出力切替指示を、第１の音声出力切替指示とする。後述するように、スピーカ３ａからスピーカ１４への音声出力切替指示を、第２の音声出力切替指示とする。
【００４０】
さらに、制御部１１によるS2の処理は、スピーカ１４からスピーカ３ａへの第１の音声出力切替指示を受けたときに、インターフェースであるレシーバ１６を介して、AVアンプ３の電源のオン又はオフの状態を問い合わせる問い合わせ信号を送信して、AVアンプ３から電源状態情報を取得する問い合わせ処理部を構成する。
【００４１】
制御部１１は、AVアンプ３から電源状態情報を受信すると、メモリ１２に記憶し（S3）、AVアンプ３への音声出力切り替え処理を実行する（S4）。  
S4では、受信したAVアンプ３の電源状態がオフであった場合、制御部１１は、AVアンプ３の電源をオンにした後に、アンプ接続スピーカ３ａへの音声出力の切り替えを行う。具体的には、制御部１１は、AVアンプ３へ電源をオンするコマンドを送信した後、アンプ接続スピーカ３ａへの音声出力の切り替えのためのコマンド<System Audio Mode Request>[“On”]をAVアンプ３へ送信する。
【００４２】
また、S4では、受信したAVアンプ３の電源状態がオンであった場合、制御部１１は、アンプ接続スピーカ３ａへの音声出力の切り替えのためのコマンド<System Audio Mode Request>[“On”]をAVアンプ３へ送信する。  
なお、AVアンプ３の制御部２１は、アンプ接続スピーカ３ａへの音声出力の切り替えを行うと、切り替えコマンド<Set System Audio Mode>[“On”]をテレビ２へ送信する。
【００４３】
以上の結果、コンテンツの映像は、テレビ１の表示器１３に表示され、コンテンツの音声は、アンプ接続スピーカ３ａから出力される。
【００４４】
ユーザがコンテンツの視聴を終了して、テレビ２のスピーカ１４へ音声出力を切り替えるとする。そのため、制御部１１は、テレビ２のスピーカ１４への音声出力の切り替えがあるか否かを判定する（S5）。テレビ２のスピーカ１４への音声出力の切り替えの指示がなければ（S5:NO）、処理は、何もしない。
【００４５】
テレビ２のスピーカ１４への音声出力の切り替えの指示があると（S5:YES）、制御部１１は、テレビ２のスピーカ１４への音声出力切り替え処理を実行する（S6）。S6では、制御部１１が、テレビ２のスピーカ１４への音声出力の切り替えのために、AV接続スピーカ３ａからの音声出力を停止させるためのコマンド<System Audio Mode Request>[“Off”]をAVアンプ３へ送信する。
【００４６】
なお、AVアンプ３の制御部２１は、上記コマンド<System Audio Mode Request>[“Off”]を受信すると、音声出力レベルを０とするミュート状態にし、切り替えコマンド<Set System Audio Mode>[“Off”]をテレビ２へ送信する。  
次に、制御部１１は、メモリ１２から、AVアンプ３の電源状態情報の読み出しを行う（S7）。
【００４７】
制御部１１は、読み出した電源状態情報から、AVアンプ３の電源状態がオンであったか否かを判定する（S8）。すなわち、制御部１１は、アンプ接続スピーカ３ａへの音声出力への切り替えが行われる直前のAVアンプ３の電源状態が、オンであったか、あるいはオフであったかを、メモリ３に記憶した電源状態情報に基づいて判定する。
【００４８】
AVアンプ３の電源状態がオンであったとき（S8:YES）、制御部１１は、何の処理もしない。  
AVアンプ３の電源状態がオフであったとき（S8:NO）、制御部１１は、AVアンプ３へ電源をオフするための電源オフコマンドを送信する（S9）。電源オフコマンドの送信は、AVアンプ３の電源をスタンバイ状態にするコマンド<Standby>をAVアンプ３のみ送信することにより行われる。すなわち、コマンド<Standby>は、アンプ接続スピーカ３ａへの音声出力の切り替えが行われる前のAVアンプ３の電源状態がオフであった場合に、送信される。
【００４９】
以上のように、制御部１１のS9の処理は、スピーカ３ａからスピーカ１４への第２の音声出力切替指示を受けたとき、メモリ１２に記憶された電源状態情報に基づいて、電源状態情報がAVアンプ３の電源のオフ状態を示すときはAVアンプ３の電源をオフにする電源制御信号を、インターフェースであるレシーバ１６を介してAVアンプ３へ送信する電源制御信号送信部を構成する。  
なお、ここでは、コマンド<Standby>を用いているが、S9で送信されるコマンドは、コマンド<User Control Pressed>[Power Off Function]等でもよい。
【００５０】
以上のように、アンプ接続スピーカ３ａへの音声出力の切り替えが行われる前のAVアンプ３の電源状態がオフであった場合、テレビ２のスピーカ１４への音声出力の切り替えがされると、テレビ２は、AVアンプ３をオフ、すなわちスタンバイ状態にする。しかし、アンプ接続スピーカ３ａへの音声出力の切り替えが行われる前のAVアンプ３の電源状態がオンであった場合、テレビ２のスピーカ１４への音声出力の切り替えがされても、テレビ２は、AVアンプ３をオフしない。
【００５１】
ユーザによっては、AVアンプ３の電源は常にオンの状態で使用している場合も考えられる。例えば、AVアンプ３をテレビ２と連携動作させないで、ユーザが、CDや、FM/AMチューナ、ポータブルオーディオ機器で、音声を聴く場合もあり、AVアンプ３を常時オンしているユーザも存在し得る。このようなユーザにとっては、音声出力をテレビ２のスピーカ２ａに切り替えた場合、AVアンプ３の電源を強制的にオフするのは好ましくない。
【００５２】
よって、映画等の視聴前にAVアンプ３が使用されていれば、ユーザが、映画等の視聴後、テレビ２のスピーカ２ａへ音声出力を切り替えたとき、AVアンプ３は、オンのままとなるので、ユーザは、違和感なくAVアンプ３の使用を継続することができる。
【００５３】
しかし、映画等の視聴前にAVアンプ３が使用されていなければ、ユーザが、映画等をAVアンプ３に接続されたスピーカ１４で迫力ある音でコンテンツの視聴をした後、音声出力をテレビ２のスピーカ２ａへ切り替えたとき、AVアンプ３は、オフになり、省エネになる。
【００５４】
以上のように、上述した実施形態のテレビ２は、音声出力をテレビ２のスピーカ２ａへ切り替えるときに、AVアンプ３の電源を強制的にオフするのは好ましくないことも想定し、音声出力をアンプ接続スピーカ３ａへ切り替える直前のAVアンプ３の電源状態を記憶しておき、音声出力がテレビ２のスピーカ２ａへ切り替られたときに、音声出力をアンプ接続スピーカ３ａへ切り替える直前のAVアンプ３の電源状態を復元するように、テレビ２は、接続機器であるAVアンプ３の電源を制御する。
（変形例）
以上の説明では、AVアンプ３の電源状態情報の取得は、リモコン２ａを用いてユーザがアンプ接続スピーカ３ａへの第１の音声出力切替指示をしたときに、制御部１１がAVアンプ３に現在の電源状態の問い合わせることにより行われているが、上述した実施形態の変形例１として、ユーザによるアンプ接続スピーカ３ａへの音声出力の切り替え指示に拘わらず、制御部１１が所定の時間間隔で周期的にAVアンプ３に電源状態の問い合わせることにより行うようにしてもよい。  
すなわち、AVアンプ３の電源状態情報は、レシーバ１６を介して、AVアンプ３に定期的に問い合わせて取得されるようにしてもよい。
【００５５】
さらに、上述した変形例２として、S8でYESの場合、すなわちアンプ接続スピーカ３ａへの音声出力の切り替えが行われる直前のAVアンプ３の電源状態がオンであった場合、ユーザに、AVアンプ３はオンのままでよいのか、言い換えればAVアンプ３をオフしなくてよいかを確認させるようにしてもよい。
【００５６】
図４は、本変形例２に関わる、テレビ２のスピーカ１４からAVアンプ３のスピーカ３ａへの音声出力の切り替えがあったときのテレビ２の制御部１１の処理の流れの例を示すフローチャートである。
【００５７】
図４において、図２と同じ処理ステップについては、同じステップ番号を付して説明は省略する。  
本変形例２では、アンプ接続スピーカ３ａへの音声出力の切り替えが行われる前のAVアンプ３の電源状態がオンであったと判定された場合（S8:YES）、制御部１１は、AVアンプ３の電源がオンのままでよいかをユーザに確認させるための確認画面を、テレビ２の表示器１３の画面上に表示し（S11）、AVアンプ３の電源をオフしてよいか否かを判定する（S12）。
【００５８】
S11における確認画面には、所定のメッセージが表示され、AVアンプ３の電源のオンあるいはオフを指示するボタンも表示される。所定のメッセージは、例えば、「AVアンプの電源はオフにしてもよいですか？」、「AVアンプはオンでしたが、オンのままでよいですか？」のメッセージである。
【００５９】
表示されるボタンが、「オフにする」ボタンであるとき、ユーザが表示器１３の画面上のカーソルを移動させて「オフにする」ボタンを選択して決定すると、制御部１１は、AVアンプ３の電源をオフしてよいと判断され（S12:YES）、処理は、S9へ移行する。「オフにする」ボタンが選択されないと、制御部１１は、AVアンプ３の電源をオフしないと判断され（S12:NO）、処理は、終了する。
【００６０】
以上のように、制御部１１のS11の処理は、スピーカ１４への第２の音声出力切替指示を受けて、メモリ１２に記憶された電源状態情報に基づいて、電源状態情報がAVアンプ３の電源のオン状態を示すときは、AVアンプ３の電源をオフにしないことの確認をするための確認画面を表示装置である表示器１３に表示する確認画面表示部を構成する。そして、その確認画面の表示に対して、AVアンプ３の電源をオフにすることが指示されたときは、S９の処理により、AVアンプ３の電源をオフにする電源制御信号がAVアンプ３へ送信される。  
よって、本変形例２によれば、ユーザのAVアンプ３の切り忘れ等の場合に、AVアンプ３の電源をオフにすることができる。
【００６１】
以上のように、上述した実施形態及び各変形例によれば、スピーカの切り替え前の外部機器の電源状態に応じて、外部機器のオン／オフの制御ができる映像出力装置及び映像出力装置に接続された外部機器の電源制御方法を提供することができる。
【００６２】
従って、映像出力装置であるテレビは、スピーカの切り替え前の接続された外部機器の電源状態に応じて、外部機器のオン／オフを制御するので、ユーザにとって外部機器の使い勝手もよく、さらに、必要のない外部機器の電源はオフされるので、消費電力の低減にも繋がる。
【００６３】
さらに、従来の提案にあったような、映像と音声信号の入力経路に基づいてAVアンプをオフしてしまうと、ユーザが、映画等のコンテンツの視聴後に、映画等のコンテンツの視聴前に聴いていた音楽などを再び聴きたいときにも、AVアンプ３はオフとなってしまうので、再度AVアンプ３の電源をオンにしなければならないという問題があるが、上述した実施形態と各変形例によれば、そのような問題はない。
【００６４】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６５】
１  AVシステム、２  テレビジョン受像機、２ａ  リモコン、３  AVアンプ、３ａ  スピーカ、４  BDプレーヤ、５，６  HDMIケーブル、１１  制御部、１２  メモリ、１３  表示器、１４  スピーカ、１５  操作信号受信部、１６  レシーバ、２１  制御部、２２  トランスミッタ、２３  レシーバ、３１  トランスミッタ。
【図１】
2015177458.tif 000003
【図２】
2015177458.tif 000004
【図３】
2015177458.tif 000005
【図４】
2015177458.tif 000006